(57)【特許請求の範囲】
【請求項１】
板状体３０の開口窓３４を境とした左右一端部分３０ａが取付部で、左右他端部分３０ｂにフック３６を有し、クレセント１５の皿１７が開口窓３４を通して回転することでフック３６に係合するようにしたクレセント錠のクレセント受であって、
前記フック３６は、開口窓３４の左右他端面３４ａと連続した受片３７と、この受片３７と連続した係止片３８で鉤形で、
前記受片３７は、前記板状体３０と略直角に一側面方向に向かい突出し、その表面３７ｂは上下方向に円弧形状で、かつ前記開口窓３４の左右他端面３４ａよりも突出し、
前記係止片３８は、前記板状体３０と略平行で左右一端部３０ａに向けて突出し、その外面３８ａは上下方向に円弧形状で、
前記皿１７のフランジ２３の先端面２３ａが受片３７の表面３７ｂに接すると共に、フランジ２３の内面２３ｂが係止片３８の外面３８ａに接してフック３６と皿１７が係合し、
前記係止片３８の上下方向寸法は皿１７のフランジ２３が略均一に接するように小さく、
前記受片３７の上下方向寸法は係止片３８よりも大きく、
前記受片３７は上下方向全長が開口窓３４の左右他端面３４ａと一体的に連続していることを特徴とするクレセント錠のクレセント受。
【発明の詳細な説明】
【０００１】
【発明の属する技術分野】
本発明は、引き違いサッシ窓、片引きサッシ窓などに用いるクレセント錠のクレセント受に関する。
【０００２】
【従来の技術】
引き違いサッシ窓に用いるクレセント錠としてはクレセントとクレセント受を備えたものが知られている。このクレセント錠はクレセントを室内側障子の召合せ框に取付け、クレセント受を室外側障子の召合せ框に取付け、そのクレセントの皿をクレセント受に係合して室内側障子と室外側障子を施錠する。
前述のクレセント錠のクレセント受としては、例えば実公昭６０−３０３７６号公報に示すように、一端部分に取付穴、他端部分にフックを有す板状のものが知られている。
【０００３】
【発明が解決しようとする課題】
前述のクレセント受は、図６に示すように、取付穴１を有する一端部分２は幅広い矩形状であるが、フック３を有する他端部分４は三角形状のために、そのフック３にクレセントの皿を係合した時に他端部分４が一端部分２に対して変形し易く、剛性の弱いクレセント受である。
【０００４】
前述のことに鑑み本発明者等は図７に示す形状のクレセント受を提案した。
板状体１０の左右一端部に取付穴１１を有し、その板状体１０の左右他端寄りに開口窓１２を有すると共に、この開口窓１２の左右他端面１２ａの上下中央部に鉤形状のフック１３を一体的に有し、クレセントの皿が開口窓１２を通して回転することでフック１３に係合、離脱する形状である。
【０００５】
このクレセント受は、板状体１０の取付穴１１を有する左右一端部分１０ａとフック１３を有する左右他端部分１０ｂが上中間部分１０ｃと下中間部分１０ｄで一体的に連続しているので、フック１３にクレセントの皿を係合した時に左右他端部分１０ｂが変形し難く、剛性の強いクレセント受である。
【０００６】
しかしながら、前述のクレセント受を図８に示すように、引き違い窓の室外側障子Ａの召合せ框１４に取付け、クレセント１５を室内側障子Ｂの召合せ框１６に取付けたところ、フック１３とクレセント１５の皿１７を係合した施錠状態において強風等が作用した時にクレセント１５の皿１７がフック１３を乗り越え、その皿１７が仮想線で示すように開口窓１２から室外側方向に突出して室外側障子Ａと室内側障子Ｂが開き方向に寸法Ｓ相応だけ移動し、縦枠と室外側障子Ａ、室内側障子Ｂとの間の気密・水密が低減する不具合が生じた。
【０００７】
本発明者等は前述のクレセント１５の皿１７がフック１３を乗り越えて開口窓１２から室外側方向に突出する原因を検討した結果、次のことを見出した。
前記フック１３は図７に示すように、開口窓１２の左右他端面１２ａと連続し板状体１０と略直角方向に室内側に向けて突出した受片１８と、この受片１８と連続した板状体１０と略平行に向う係止片１９で鉤形状で、その受片１８の表面１８ａは開口窓１２の左右他端面１２ａよりも突出している。
つまり、前述のクレセント受は１枚の板材を板金加工して製作するために、フック１３を形成する部分を残して開口窓１２を打ち抜きし、その残存した部分をプレス等で曲げ加工しているために受片１８の表面１８ａが開口窓１２の左右他端面１２ａよりも突出する。
【０００８】
他方、クレセント１５は取付座２０に皿１７を回転自在に取付けると共に、その皿１７をレバー２１で回転する形状で、その皿１７は略半円形の基板２２の円孤面に沿って円孤形状のフランジ２３を一体的に設けた形状である。
【０００９】
図８と図９に示すように、前記フランジ２３の先端面２３ａがフック１３の受片１８の表面１８ａに接すると共に、フランジ２３の内面（室内側面）２３ｂがフック１３の係止片１９の外面（室外側面）１９ａに接することでフック１３と皿１７が係合する。
前記フック１３の上下方向寸法（幅）はフランジ２３の上下方向寸法に比べて著しく小さく、係止片１９の外面１９ａがフランジ２３の内面２３ｂに略均一に接するようにしてある。すなわち、フランジ２３が円孤形状であるためにフック１３の幅が大きいと、そのフック１３の幅方向両端部のみがフランジ２３の内面２３ｂに接してしまう。
【００１０】
室外側障子Ａ、室内側障子Ｂを閉じた状態では、その各戸当り框が左右の縦枠に接するので、強風等で作用した時に室外側障子Ａ、室内側障子Ｂは、その召合せ框１４，１６部分が室内外側方向に動き、平面略Ｖ字形状となるから、クレセント受（フック１３）と皿１７が相対的に平面略Ｖ字形状に変位する。
前述のようにクレセント受と皿１７がある角度以上に相対的に略Ｖ字形状に変位すると、皿１７のフランジ２３の先端面２３ａがフック１３の受片１８の表面１８ａから外れ、前述のように皿１７がフック１３を乗り越え、図１０に示すように皿１７のフランジ２３の先端面２３ａにおける２点が開口窓１２の左右他端面１２ａに当接する。
つまり、フランジ２３の先端面２３ａにおける開口窓１２の左右他端面１２ａに当る２点間の距離Ｌ−１が受片１８の上下方向寸法Ｈ−１よりも若干大きくなる角度まで略Ｖ字形状に変位すると前述のように皿１７がフック１３を乗り越える。
【００１１】
本発明は前述の課題を解決できるようにしたクレセント錠のクレセント受を提供することを目的とする。
【００１２】
【課題を解決するための手段】
本発明は、板状体３０の開口窓３４を境とした左右一端部分３０ａが取付部で、左右他端部分３０ｂにフック３６を有し、クレセント１５の皿１７が開口窓３４を通して回転することでフック３６に係合するようにしたクレセント錠のクレセント受であって、
前記フック３６は、開口窓３４の左右他端面３４ａと連続した受片３７と、この受片３７と連続した係止片３８で鉤形で、
前記受片３７は、前記板状体３０と略直角に一側面方向に向かい突出し、その表面３７ｂは上下方向に円弧形状で、かつ前記開口窓３４の左右他端面３４ａよりも突出し、
前記係止片３８は、前記板状体３０と略平行で左右一端部３０ａに向けて突出し、その外面３８ａは上下方向に円弧形状で、
前記皿１７のフランジ２３の先端面２３ａが受片３７の表面３７ｂに接すると共に、フランジ２３の内面２３ｂが係止片３８の外面３８ａに接してフック３６と皿１７が係合し、
前記係止片３８の上下方向寸法は皿１７のフランジ２３が略均一に接するように小さく、
前記受片３７の上下方向寸法は係止片３８よりも大きく、
前記受片３７は上下方向全長が開口窓３４の左右他端面３４ａと一体的に連続していることを特徴とするクレセント錠のクレセント受である。
【００１３】
【作用】
本発明によれば、クレセント受のフック３６とクレセントの皿１７が係合した施錠状態で、クレセント受と皿１７が平面略Ｖ字形状に相対変位した時に、皿１７のフランジ２３が受片３７を乗り越えるには受片３７の上下方向寸法に対応した大きな角度Ｖ字形状に相対変位する必要があり、皿１７のフランジ２３が受片３７を乗り越え難い。
【００１４】
したがって、例えば室外側障子の召合せ框にクレセント受を取付け、室内側障子の召合せ框にクレセントを取付けた施錠した状態で強風が作用しても皿１７がクレセント受を乗り越えて皿１７が開口窓３４より室外側に突出することがなく、室外側障子、室内側障子の戸当り框と左右の縦枠の間の気密・水密を保持できる。
【００１５】
【発明の実施の形態】
図１に示すように、所定の幅（上下寸法）ａと長さ（左右寸法）ｂと厚さｃを有する矩形の板状体３０の左右一端部分３０ａに、上下一対のガイド孔３１と上下一対の大径孔３２と連結用穴３３が形成されて取付部としてある。前記ガイド孔３１は左右方向に長いスリット形状である。
前記板状体３０の左右他端寄りに開口窓３４が形成してあり、この開口窓３４よりも左右他端部分３０ｂは上中間部分３０ｃ、下中間部分３０ｄで左右一端部分３０ａと一体的に連続している。
前記左右他端部分３０ｂの上下中間部はコ字形状に折り曲げられ、板状体３０の一側面（室外側面）よりも突出していると共に、他側面に開口した凹陥部３５を形成している。
【００１６】
前記開口窓３４の左右他端面３４ａにフック３６が一体的に設けてあり、これによって剛性大のクレセント受を形成している。
このフック３６は左右他端面３４ａと一体的に連続した受片３７と、この受片３７の内面（室内側面）３７ａと一体的に連続した係止片３８で鉤形である。
前記受片３７は板状体３０と略直角に一側面方向に向い突出し、その表面３７ｂは上下方向に円孤形状で、かつ突出方向にも円孤形状であり、この受片３７は左右他端部分３０ｂのコ字状部分（開口窓３４の左右他端面３４ａ）の略全長に亘って設けられ、その上下方向寸法は図１０に示すものよりも大きい。
前記係止片３８は板状体３０と略平行で左右一端部分３０ａに向けて突出し、前記受片３７の上下方向中央部に設けられ、その外面３８ａは上下方向に円孤形状で、この係止片３８の上下寸法は受片３７と比べて小さく、クレセントの皿１７が略均一に接するようにしてある。つまり、係止片３８の上下方向寸法は図１０に示す係止片１９と同一寸法である。
前記クレセント受は前述と同様に板材を板金加工して形成される。
【００１７】
図１において、４０は取付プレートで、上下一対の突片４１と上下一対の孔４２と連結用長孔４３を有する。
この突片４１をガイド孔３１に嵌入すると共に、連結用長孔４３からリベット４４を連結用穴３３に挿入してカシメることで、取付プレート４０を板状体３０の他側面に相対的に左右移動自在に取付ける。
このようであるから、クレセント受を召合せ框に左右移動調整自在に取付けできる。
【００１８】
例えば、図２に示すように、室外側障子Ａの召合せ框１４の取付片１４ａの室外側面に板状体３０を接し、取付片１４ａからビス４５を大径孔３２を通して孔４２に螺合して取付ける。
これによって、取付プレート４０、ビス４５に対して板状体３０を左右に移動調整できる。
【００１９】
クレセント１５、皿１７は前述と同様で、図２に示すように皿１７が板状体３０の開口窓３４を通って回転し、フランジ２３がフック３６に前述と同様に係合する。
つまり、図３と図４に示すようにフランジ２３の先端面２３ａが受片３７の表面３７ｂに接し、フランジ２３の内面２３ｂが係止片３８の外面３８ａに接して皿１７がフック３６に係合する。
【００２０】
前述の説明と同様に強風等で室外側障子Ａと室内側障子Ｂが平面略Ｖ字形状となり、クレセント受（フック３６）と皿１７が相対的に平面略Ｖ字形状に変位した時に、皿１７のフランジ２３の先端面２３ａがフック３６の受片３７の表面３７ｂから外れる角度は、受片３７の上下方向寸法が大きいので図７に示す場合よりも大きい角度である。
つまり、図５に示すように受片３７の上下方向寸法Ｈ−２が図１０に示す受片１８の上下方向寸法Ｈ−１よりも大きく、フランジ２３の先端面２３ａにおける開口窓３４の左右他端面３４ａに当る２点間の距離Ｌ−２が図１０に示す距離Ｌ−１よりも大きいので、前述の角度は図７に示すクレセント受よりも大きい。
したがって、皿１７がフック３６を乗り越え難くなる。
【００２１】
以上の実施の形態では、受片３７を係止片３８の上と下に突出したが、上又は下にのみ突出しても良い。
つまり、受片３７の上下方向寸法を係止片３８よりも大きくすれば良い。
【００２２】
【発明の効果】
請求項１に係る発明によれば、クレセント受のフック３６とクレセントの皿１７が係合した施錠状態で、クレセント受と皿１７が平面略Ｖ字形状に相対変位した時に、皿１７のフランジ２３が受片３７を乗り越えるには受片３７の上下方向寸法に対応した大きな角度Ｖ字形状に相対変位する必要があり、皿１７のフランジ２３が受片３７を乗り越え難い。
【００２３】
したがって、例えば室外側障子の召合せ框にクレセント受を取付け、室内側障子の召合せ框にクレセントを取付けた施錠した状態で強風が作用しても皿１７がクレセント受を乗り越えて皿１７が開口窓３４より室外側に突出することがなく、各障子の戸当り框と左右の縦枠の間の気密・水密を保持できる。
【図面の簡単な説明】
【図１】  本発明の第１の実施の形態を示すクレセント受の斜視図である。
【図２】  クレセントの皿とクレセント受を係合して施錠した状態の引き違い窓の召合せ部平面図である。
【図３】  クレセント受の正面図である。
【図４】  クレセント受のフックとクレセントの皿の係合状態の斜視図である。
【図５】  クレセントの皿がクレセント受のフックを乗り越えた状態の斜視図である。
【図６】  従来のクレセント受の斜視図である。
【図７】  先に提案したクレセント受の斜視図である。
【図８】  クレセント受とクレセントの皿を係合して施錠した状態の引き違い窓の召合せ部平面図である。
【図９】  クレセント受のフックとクレセントの皿の係合状態を示す斜視図である。
【図１０】  クレセントの皿がクレセント受のフックを乗り越えた状態の斜視図である。
【符号の説明】
１０…板状体、１２…開口窓、１３…フック、１５…クレセント、１７…皿、１８…受片、１９…係止片、２３…フランジ、３０…板状体、３４…開口窓、３４ａ…左右他端面、３６…フック、３７…受片、３８…係止片。
【図１】
0003831915.tif 000002
【図２】
0003831915.tif 000003
【図３】
0003831915.tif 000004
【図４】
0003831915.tif 000005
【図５】
0003831915.tif 000006
【図６】
0003831915.tif 000007
【図７】
0003831915.tif 000008
【図８】
0003831915.tif 000009
【図９】
0003831915.tif 000010
【図１０】
0003831915.tif 000011